(57)【要約】本発明はデータコピー防止装置とシステム及びコピー防止方法に係り、データのコピー防止のための制御情報を設定し、前記設定された制御情報によるそれぞれの制御モードによって前記データを前記制御モードによる別個の方法で暗号化し、前記暗号化されたデータを伝送する伝送装置及び前記伝送されたデータを受信して前記制御情報を抽出し、前記抽出された制御情報によるそれぞれの制御モードに対応して前記制御モードによる別個の方法でデータを解読する受信装置を含む。そして、本発明は前記伝送装置及び受信装置を含むシステムを含む。
2006512023.tif 000002
【特許請求の範囲】
【請求項１】
データのコピー防止のための制御情報を設定する制御情報設定部と、
前記設定された制御情報によるそれぞれの制御モードによって前記データを前記制御モードによる別個の方法で暗号化するデータ暗号化部と、
前記データ暗号化部で提供するデータを伝送するデータ伝送部と、を含むデータコピー防止のための伝送装置。
【請求項２】
暗号化されたデータを受信するデータ受信部と、
前記受信されたデータからデータのコピー防止のための制御情報を抽出する制御情報抽出部と、
前記抽出された制御情報によるそれぞれの制御モードに対応して前記制御モードによる別個の方法でデータを解読するデータ解読部と、を含むデータコピー防止のための受信装置。
【請求項３】
前記暗号化されたデータは階層別に暗号化されたデータを含む請求項２に記載のデータコピー防止のための受信装置。
【請求項４】
前記制御情報はＣＣＩを含む請求項１に記載のデータのコピー防止のための伝送装置。
【請求項５】
前記制御モードはコピーできない第１モード、１回のみコピーできて一応コピーした後にはさらにコピーできない第２モード、コピーはできるもののデータが暗号化された第３モードを含む請求項１に記載のデータコピー防止のための伝送装置。
【請求項６】
前記受信装置はＡＶストリーム情報をユーザーに提供するメディア再生装置を含む請求項３に記載のデータコピー防止のための受信装置。
【請求項７】
データのコピー防止のための制御情報を設定し、前記設定された制御情報によるそれぞれの制御モードによって前記データを前記制御モードによる別個の方法で暗号化し、前記暗号化されたデータを伝送する伝送装置と、
前記伝送されたデータを受信して前記制御情報を抽出し、前記抽出された制御情報によるそれぞれの制御モードに対応して前記制御モードによる別個の方法でデータを解読する受信装置と、を含むデータコピー防止のためのシステム。
【請求項８】
前記制御情報はＣＣＩを含む請求項7に記載のデータのコピー防止のためのシステム。
【請求項９】
前記制御モードはコピーできない第7モード、１回のみコピーできて一応コピーした後にはさらにコピーできない第２モード、コピーはできるもののデータが暗号化された第３モードを含む請求項１に記載のデータコピー防止のためのシステム。
【請求項１０】
前記受信装置はＡＶストリーム情報をユーザーに提供するメディア再生装置を含む請求項7に記載のデータコピー防止のためのシステム。
【請求項１１】
コピー防止のための制御情報を設定し、前記設定された制御情報によるそれぞれの制御モードに対応して前記制御モードによる別個の方法でデータを暗号化して伝送する段階と、
前記伝送されたデータを受信し、前記受信したデータから前記制御情報を抽出する段階と、
前記抽出された制御情報によるそれぞれの制御モードに対応して前記制御モードによる別個の方法でデータを解読する段階と、を含むデータコピー防止方法。
【請求項１２】
前記制御情報はＣＣＩを含む請求項11に記載のデータコピー防止方法。
【請求項１３】
前記制御モードはコピーできない第7モード、１回のみコピーできて一応コピーした後にはさらにコピーできない第２モード、コピーはできるもののデータが暗号化された第３モードを含む請求項11に記載のデータコピー防止方法。
【請求項１４】
コピー防止のための制御情報を含み、前記制御情報によるそれぞれの制御モードによって前記制御モードによる別個の方法で暗号化されたデータを記録した記録媒体。
【請求項１５】
前記制御情報はＣＣＩを含む請求項14に記載の記録媒体。
【請求項１６】
前記制御モードはコピーできない第7モード、１回のみコピーできて一応コピーした後にはさらにコピーできない第２モード、コピーはできるもののデータが暗号化された第３モードを含む請求項14に記載の記録媒体。
【請求項１７】
前記制御情報はＣＣＩを含む請求項２に記載のデータコピー防止のための受信装置。
【請求項１８】
前記制御モードはコピーできない第7モード、１回のみコピーできて一応コピーした後にはさらにコピーできない第２モード、コピーはできるもののデータが暗号化された第３モードを含む請求項２に記載のデータコピー防止のための受信装置。
【請求項１９】
データコピー防止のために既設定された制御情報によるそれぞれの制御モードによって前記データを別個の他の方法で暗号化するデータ暗号化部を含むデータコピー防止のための暗号化装置。
【請求項２０】
前記データ暗号化部は前記制御モードによる暗号化モジュールを含む請求項19に記載のデータコピー防止のための暗号化装置。
【請求項２１】
データコピー防止のために既設定された制御情報によるそれぞれの制御モードによって暗号化されたデータを別個の他の方法で解読するデータ解読部を含むデータコピー防止のための解読装置。
【請求項２２】
前記データ解読部は前記制御モードによる解読モジュールを含む請求項21に記載のデータコピー防止のための解読装置。
【請求項２３】
前記解読モジュールは、ＤＥＳアルゴリズムにより暗号化されたデータを解読するための第１解読モジュール、二重ＤＥＳアルゴリズムにより暗号化されたデータを解読するための第２解読モジュール及び三重ＤＥＳアルゴリズムにより暗号化されたデータを解読するための第３解読モジュールを含む請求項22に記載のデータコピー防止のための解読装置。
【請求項２４】
受信されたデータのＣＣＩを検査するコード検査部と、
前記受信されたデータの解読のために使われるキーコードの最上位ビット側または最下位ビット側に前記ＣＣＩのコード値と同じ値を挿入する解読モジュールと、を含むデータコピー防止のための解読装置。
【請求項２５】
データコピー防止のために既設定された制御情報によるそれぞれの制御モードによって前記データを別個の他の方法で暗号化するデータ暗号化部と、
前記暗号化されたデータを別個の他の方法で解読するデータ解読部と、を含むデータコピー防止のためのシステム。
【請求項２６】
前記それぞれの制御モードは、前記データが前記設定された制御情報の変調を通じて権限なしにコピーされないように設定される請求項25に記載のデータコピー防止のためのシステム。
【請求項２７】
データコピー防止のために既設定された制御情報によるそれぞれの制御モードによって前記データを別個の他の方法で暗号化する段階を含むデータコピー防止のためのデータ暗号化方法。
【請求項２８】
データコピー防止のために既設定された制御情報によるそれぞれの制御モードによって暗号化されたデータを別個の他の方法で解読する段階を含むデータコピー防止のためのデータ解読方法。
【請求項２９】
データコピー防止のために既設定された制御情報によるそれぞれの制御モードによって前記データを別個の他の方法で暗号化する段階と、
前記暗号化されたデータを別個の他の方法で解読する段階と、を含むデータコピー防止方法。
【請求項３０】
データと、
前記データのコピーを防止するための制御情報と、を含むが、
前記データは前記制御情報によるそれぞれの制御モードによって別個の他の方法で暗号化／解読される情報保存媒体。
【請求項３１】
前記それぞれの制御モードは、前記データが前記制御情報の変調を通じて権限なしにコピーされないように設定される請求項30に記載の情報保存媒体。
【発明の詳細な説明】
【技術分野】
【０００１】
本発明はデータコピー防止装置とシステム及びコピー防止方法に係り、より詳細にはデータのコピー防止のための制御情報によるそれぞれの制御モードによって暗号化する方法を異ならせて第三者によるデータの不法コピーを防止する方法に関する。
【背景技術】
【０００２】
デジタル信号処理技術の発展につれて多様な種類のデジタル記録装置及び記録媒体が広く普及されている。しかし、このような装置及び記録媒体に含まれたデジタルデータは反復的な再生及びコピーが可能なため、もし不法でコピーされた記録媒体が市場に流通されるようになれば、音楽、映画など各種コンテンツの著作権者または正当な販売権などの利益が侵害される恐れがある。最近にはこのようなデジタルデータの不法コピーを防止するために色々な方法が導入されているが、そのうち、コピー制御情報（Ｃｏｐｙ Ｃｏｎｔｒｏｌ Ｉｎｆｏｒｍａｔｉｏｎ；以下‘ＣＣＩ’という）を利用する方法がある。
【０００３】
一般的にコンテンツはそれぞれあらかじめコンテンツ提供者によりいかなる条件でコピーできるかが指定されている。したがって、ネットワーク接続に際してもその指定された条件を正確に相手の機器に伝える必要性があって、５つの企業の共同提案としての５Ｃ ＤＴＣＰ（Ｄｉｇｉｔａｌ Ｔｒａｎｓｍｉｓｓｉｏｎ Ｃｏｎｔｅｎｔ Ｐｒｏｔｅｃｔｉｏｎ）システムでは前記ＣＣＩを利用して解決している。このようなＣＣＩ情報は２ビットのコードで表示され、４類型のモードを設定できる。ＣＣＩ情報の構成をさらに具体的に説明すれば、図１に図示された通りであるが、‘００’はいかなる認証も暗号化も必要なく暗号化されていないため、ＡＶストリームは自由にコピーできる“Ｃｏｐｙ ｆｒｅｅ”を表し、‘０１’は自由にコピーできるが、暗号化されているため、暗号化されたＡＶストリームを解読できる装置に限って自由にコピーできる“Ｃｏｐｙ ｆｒｅｅ ｂｕｔ ｅｎｃｒｙｐｔｅｄ”を表し、‘１０’は１回のみコピーできて一応コピーした後にはさらにコピーできない“Ｃｏｐｙ ｏｎ ｅｇｅｎｅｒａｔｉｏｎ”を表し、‘１１’はコピーが禁止される“Ｎｏ ｍｏｒｅ ｃｏｐｙ ｏｒ ｃｏｐｙ ｎｅｖｅｒ”を表す。
【０００４】
ところが、ＡＶストリーム内に記録されているＣＣＩコードの類型が相異なっても暗号状態が“暗号化”という状態を表せば、コンテンツは同じ暗号化方法を使用して記録されており、かつ同じ解読方法が適用されるので、ＣＣＩ情報を不法で変更するならばコピーが許容されないコンテンツ、すなわち“Ｎｏ ｍｏｒｅ ｃｏｐｙ ｏｒ ｃｏｐｙ ｎｅｖｅｒ”の情報を持っているコンテンツの不法コピーが可能になる。例えば、“Ｃｏｐｙ ｏｎｅ ｇｅｎｅｒａｔｉｏｎ”または“Ｎｏ ｍｏｒｅ ｃｏｐｙ ｏｒ ｃｏｐｙ ｎｅｖｅｒ”のＣＣＩ情報を“Ｃｏｐｙ ｆｒｅｅ ｂｕｔ ｅｎｃｒｙｐｔｅｄ”モードに変更するならば、同じ暗号／解読方法が適用されているのでコンテンツが容易に解読されて無制限の不法コピーが可能になる。また、“Ｎｏ ｍｏｒｅ ｃｏｐｙ ｏｒ ｃｏｐｙ ｎｅｖｅｒ”のＣＣＩ情報が“Ｃｏｐｙ ｏｎｅ ｇｅｎｅｒａｔｉｏｎ”のＣＣＩ情報に不法変更される場合も同様に１回のコピーが可能になる。
【０００５】
また、既存の技術ではコンテンツの重要度と関係なく暗号状態が“暗号化”という状態を表せば、保安等級に関係なく同じ暗号／解読の動作がなされるので、実質的に保安等級の意味を喪失してしまう。
【０００６】
また他の問題点はコンプライアンスルールと関連して説明できる。既存の技術には、システム具現においてＣＣＩ情報値が有効かどうかを検査するコンプライアンスルールが存在していない。すなわち、具現されたハードウェアまたはソフトウェアシステムで入力データ値と記録されているＣＣＩ値とを比較する強要事項がない。これは、ＣＣＩ情報の不法変更を、ハードウェアまたはソフトウェアシステム内では防止できないということを意味する。
【発明の開示】
【発明が解決しようとする課題】
【０００７】
本発明は前記問題点を鑑みてなされたものであり、本発明ではデータのコピー防止のための制御情報によるそれぞれの制御モードによってデータの暗号化及び解読方法を異ならせることによって、コピー防止制御情報の不法変更によるコンテンツの解読及び不法コピーを効果的に防止し、かつコンテンツの重要度による暗号、解読方法を別にすることによって（例えば１１：高、１０：中、０１：低）コンテンツの保安性をさらに維持できる方法を提案する。
【課題を解決するための手段】
【０００８】
前記目的を達成するために、本発明の実施によるデータコピー防止のための伝送装置は、データのコピー防止のための制御情報を設定する制御情報設定部と、前記設定された制御情報によるそれぞれの制御モードによって前記データを前記制御モードによる別個の方法で暗号化するデータ暗号化部と、前記データ暗号化部で提供するデータを伝送するデータ伝送部と、を含む。
【０００９】
前記目的を達成するために、本発明の実施によるデータコピー防止のための受信装置は、暗号化されたデータを受信するデータ受信部と、前記受信されたデータからデータのコピー防止のための制御情報を抽出する制御情報抽出部と、前記抽出された制御情報によるそれぞれの制御モードに対応して前記制御モードによる別個の方法でデータを解読するデータ解読部と、を含む。
望ましくは、前記制御情報はＣＣＩを含む。
望ましくは、前記制御モードはコピーできない第１モード、１回のみコピーできて一応コピーした後にはさらにコピーできない第２モード、コピーはできるもののデータが暗号化された第３モードを含む。
望ましくは、前記受信装置はＡＶストリーム情報をユーザーに提供するメディア再生装置を含む。
【００１０】
前記目的を達成するために、本発明の実施によるデータコピー防止のためのシステムは、データのコピー防止のための制御情報を設定し、前記設定された制御情報によるそれぞれの制御モードによって前記データを前記制御モードによる別個の方法で暗号化し、前記暗号化されたデータを伝送する伝送装置と、前記伝送されたデータを受信して前記制御情報を抽出し、前記抽出された制御情報によるそれぞれの制御モードに対応して前記制御モードによる別個の方法でデータを解読する受信装置と、を含む。
望ましくは、前記制御情報はＣＣＩを含む。
望ましくは、前記制御モードはコピーできない第１モード、１回のみコピーできて一応コピーした後にはさらにコピーできない第２モード、コピーはできるもののデータが暗号化された第３モードを含む。
望ましくは、前記受信装置はＡＶストリーム情報をユーザーに提供するメディア再生装置を含む。
【００１１】
前記目的を達成するために、本発明の実施によるデータコピー防止のための方法は、コピー防止のための制御情報を設定し、前記設定された制御情報によるそれぞれの制御モードに対応して前記制御モードによる別個の方法でデータを暗号化して伝送する段階と、前記伝送されたデータを受信し、前記受信したデータから前記制御情報を抽出する段階と、前記抽出された制御情報によるそれぞれの制御モードに対応して前記制御モードによる別個の方法でデータを解読する段階と、を含む。
望ましくは、前記制御情報はＣＣＩを含む。
望ましくは、前記制御モードはコピーできない第１モード、１回のみコピーできて一応コピーした後にはさらにコピーできない第２モード、コピーはできるもののデータが暗号化された第３モードを含む。
【００１２】
前記目的を達成するために、本発明の実施によるデータコピー防止のための記録媒体は、コピー防止のための制御情報を含み、前記制御情報によるそれぞれの制御モードによって前記制御モードによる別個の方法で暗号化されたデータを記録した記録媒体を含む。
望ましくは、前記制御情報はＣＣＩを含む。
望ましくは、前記制御モードはコピーできない第１モード、１回のみコピーできて一応コピーした後にはさらにコピーできない第２モード、コピーはできるもののデータが暗号化された第３モードを含む。
【発明を実施するための最良の形態】
【００１３】
以下、添付された図面を参照して本発明の一実施例によるデータコピー防止装置とシステム及びデータコピー防止方法を説明すれば次の通りである。
一方、本発明においてデータは便宜上ＡＶストリームデータを含んでいるコンテンツを例とし、コピー防止のための制御情報はＣＣＩを例として説明する。
【００１４】
図２は、本発明によるＣＣＩコードによるＡＶストリームデータの暗号化状態及び暗号／解読モードを示す例示図であり、ＣＣＩコードの変更による不法コピーを防止するためにコンテンツの暗号化／解読モードを異なって設定する。すなわち、‘０１’は“Ｃｏｐｙ ｆｒｅｅ ｂｕｔ ｅｎｃｒｙｐｔｅｄ”を表すモード１を示し、‘１０’は“Ｃｏｐｙ ｏｎ ｅｇｅｎｅｒａｔｉｏｎ”を表すモード２を示し、‘１１’は“Ｎｏ ｍｏｒｅ ｃｏｐｙ ｏｒ ｃｏｐｙ ｎｅｖｅｒ”を表すモード３を示す。
【００１５】
図３は、本発明によるデータ暗号化のための装置の構成を示す例示図であり、データコピー防止のための伝送装置３００は、ＣＣＩコード決定部３２０、データを暗号化する暗号化モジュール３３０、暗号化されたＡＶストリームまたは暗号化されていないＡＶストリームを伝送するＡＶストリーム伝送部３４０を含む。前記ＣＣＩコード決定部３２０では、ＡＶストリームにいかなるＣＣＩコードを追加してコンテンツ３１０を暗号化するかを決定する。その決定された値が“Ｃｏｐｙ ｆｒｅｅ”である‘００’の値を持てば、暗号化モジュール３３０を経ずに暗号化されていない状態でＡＶストリーム伝送部３４０を通じて任意の記録媒体に保存されるか、または伝送媒体を通じて伝送される。一方、“Ｃｏｐｙ ｆｒｅｅ ｂｕｔ ｅｎｃｒｙｐｔｅｄ（０１）”、“Ｃｏｐｙ ｏｎｅ ｇｅｎｅｒａｔｉｏｎ（１０）”、“Ｎｏ ｍｏｒｅ ｃｏｐｙ ｏｒ ｃｏｐｙ ｎｅｖｅｒ（１１）”の場合には、暗号化モジュール３３０で相異なる暗号化モードによってコンテンツが暗号化されてＡＶストリーム伝送部３４０を通じて任意の記録媒体に保存されるか、伝送媒体を通じて伝送される。すなわち、‘０１’の場合はモード１、‘１０’の場合はモード２、‘１１’の場合はモード３でそれぞれ別に暗号化されて（３３１、３３２、３３３）暗号化モジュール３３０が動作するようになる。
【００１６】
図４は、本発明によるデータ解読のための装置の構成を示す例示図であって、データコピー防止のための受信装置４００はＣＣＩコード検査部４２０、データを解読する解読モジュール４３０、解読されたＡＶストリームまたは解読されていないＡＶストリームを出力するＡＶストリーム出力部４４０を含む。ＣＣＩコード検査部４２０は、受信したＡＶストリーム４１０がいかなるＣＣＩコードを持っているかを検査する。もし、ＣＣＩコードが“Ｃｏｐｙ ｆｒｅｅ”の‘００’を表せば、解読モジュール４３０を経ずにＡＶストリーム出力部４４０を通じてＡＶストリームが出力される。一方、“Ｃｏｐｙ ｆｒｅｅ ｂｕｔ ｅｎｃｒｙｐｔｅｄ（０１）”、“Ｃｏｐｙ ｏｎｅ ｇｅｎｅｒａｔｉｏｎ（１０）”、“Ｎｏ ｍｏｒｅ ｃｏｐｙ ｏｒ ｃｏｐｙ ｎｅｖｅｒ（１１）”の場合には、相異なる解読モジュール４３１、４３２、４３３によってＡＶストリームが解読されてＡＶストリーム出力部４４０を通じて出力される。すなわち‘０１’の場合はモード１解読モジュール４３１を通じて、‘１０’の場合はモード２解読モジュール４３２を通じて、‘１１’の場合はモード３解読モジュール４３３を通じてそれぞれ解読されてＡＶストリーム出力部４４０を通じて出力される。
【００１７】
図５Ａは、本発明によるデータ暗号化過程を示す一実施例の処理フローチャートであり、その過程を説明すれば、コンテンツを受信してコンテンツ情報によるＣＣＩコードを決定し（Ｓ５１０）、前記決定されたＣＣＩコードを検査して（Ｓ５１２）ＣＣＩコード値が‘００’であれば暗号化せずに直ちに光記録媒体と同じメディアに記録する（Ｓ５１８）。もし、ＣＣＩコード値が‘００’でなければ、ＣＣＩコード値に対応する暗号モードを選択する（Ｓ５１４）。すなわち、‘０１’の場合にはモード１、‘１０’の場合にはモード２、‘１１’の場合にはモード３になる。前記暗号モードが選択されれば、前記暗号モードに対応する暗号化を実施し（Ｓ５１６）、暗号化されたコンテンツを光記録媒体のようなメディアに記録する（Ｓ５１８）。この時、メディアに記録する代わりに有無線伝送媒体を通じて暗号化されたコンテンツを解読する装置に伝送することもある。
【００１８】
図５Ｂは、本発明によるデータ解読過程を示す一実施例の処理フローチャートであり、その過程を説明すれば、暗号化されたデータを解読する装置にデータが記録された光記録媒体のようなメディアを挿入する（Ｓ５５０）。この時、前記メディアの代わりに有無線伝送媒体を通じてデータを受信することもある。前記メディアまたは伝送媒体を通じて受信したデータからＣＣＩコードを検査して（Ｓ５５２）、もし、ＣＣＩコード値が‘００’であれば、受信したコンテンツを解読せずに直ちにＡＶストリームを出力する。もし、ＣＣＩコード値が‘００’でなければ、ＣＣＩコード値に対応する解読モードを選択する（Ｓ５５４）。すなわち、‘０１’の場合にはモード１、‘１０’の場合にはモード２、‘１１’の場合にはモード３になる。前記解読モードが選択されれば、前記解読モードに対応してコンテンツを解読し、その解読されたコンテンツに対するＡＶストリームを出力する（Ｓ５５８）。
【００１９】
図６は、本発明による３類型の２ビット値を内蔵しているデータ解読のための装置の構成を示す例示図であり、データ解読装置６００はＡＶストリーム６１０を受信し、ＣＣＩコード検査部６２０は前記受信したＡＶストリームでＣＣＩコード値を検査する。もし、ＣＣＩコード値が‘００’の場合には解読モジュール６３０を経ずに直ちにＡＶストリーム出力部６４０を通じて出力する。一方、ＣＣＩコード値が‘０１’、‘１０’、‘１１’の場合に解読モジュール６３０では、前記ＣＣＩコード値と同じ値をコンテンツを解読するためのキー値の最上位ビット（ＭＳＢ）または最下位ビット（ＬＳＢ）に挿入する。もし、不法でＣＣＩコード値が変更されたとすれば、コンテンツを暗号化するのに使われたキー値と異なるキー値が生成されることによってコンテンツの解読が不可能になる。前記のような方法で解読されたＡＶストリームはＡＶストリーム出力部６４０を通じて出力する。
【００２０】
図７は、本発明によるさらに具体的な実施例であり、３種のＤＥＳ暗号を利用したデータ解読のための装置の構成を示す例示図である。ＤＥＳ暗号は暗号キーと復号キーとが同じである対称キー暗号であって、１９６０年代末にＩＢＭで開発して１９７７年米国標準暗号アルゴリズムとして採択され、速度が速いために金融機関などいろいろな分野で世界的に使われている暗号である。ＤＥＳ暗号は対称ブロック暗号であって、平文の各ブロックの長さが６４ビット、キーが６４ビット（実際には５６ビットがキー、８ビットは検査用）であり、暗号文が６４ビットである暗号である。ＤＥＳアルゴリズムは、６４ビットの平文が１６ラウンドのファイステル演算を経て６４ビットの暗号文に出るようにするものである。
【００２１】
二重ＤＥＳは、５６ビットである２個の相異なる暗号キー１１２ビットを使用してＤＥＳを２回重複して実行するアルゴリズムであり、三重ＤＥＳは５６ビットである２個の相異なる暗号キー１１２ビットを使用してＤＥＳを３回重複して実行するアルゴリズムである。
【００２２】
本発明において解読モジュール７３０は、ＣＣＩ値が‘０１’の場合にはＤＥＳ解読モジュール７３１を実施し、ＣＣＩ値が‘１０’の場合には二重ＤＥＳ解読モジュール７３２を実施し、ＣＣＩ値が‘１１’の場合には三重ＤＥＳ解読モジュール７３３を実施する。前記それぞれのモジュール７３１、７３２、７３３に使用するキー値は暗号化する時のキー値と同じ値を使用する。
【００２３】
これまで説明したＣＣＩコード値による制御モードを異なって具現する方法以外にも暗号化／解読プロセスを変更する方法（保安等級の多様化、高、中、低）、コピーできない領域にＣＣＩコード値を挿入してＣＣＩ値を比較して異なる場合にそれ以上実行しないか、または該当するＣＣＩ値をコンテンツを暗号化／解読するのに使われるキーの入力データとして活用する方法なども考慮できる。
【００２４】
以上説明した本発明は、本発明が属する技術分野で当業者ならば本発明の技術的思想を離脱しない範囲内でいろいろな置換、変形及び変更が可能なので前述した実施例及び添付された図面に限定されるものではない。
【産業上の利用可能性】
【００２５】
前記のような本発明によれば、第三者によるデータの不法コピーをさらに効果的に防止でき、データの重要度によるデータをさらに安定的に保護できる効果がある。
【図面の簡単な説明】
【００２６】
【図１】ＣＣＩコードによるＡＶストリームデータの暗号化状態を示す例示図である。
【図２】本発明によるＣＣＩコードによるＡＶストリームデータの暗号化状態及び暗号／解読モードを示す例示図である。
【図３】本発明によるデータ暗号化のための装置の構成を示す例示図である。
【図４】本発明によるデータ解読のための装置の構成を示す例示図である。
【図５Ａ】本発明によるデータ暗号化過程を示す一実施例の処理フローチャートである。
【図５Ｂ】本発明によるデータ解読過程を示す一実施例の処理フローチャートである。
【図６】本発明による３類型の２ビット値を内蔵しているデータ解読のための装置の構成を示す例示図である。
【図７】本発明による３種のＤＥＳ暗号を利用したデータ解読のための装置の構成を示す例示図である。
【符号の説明】
【００２７】
３００      データコピー防止のための伝送装置
３１０、６２０、７２０      コンテンツ
３２０      ＣＣＩコード決定部
３３０      暗号化モジュール
３４０      ＡＶストリーム伝送部
６００、７００      データ解読装置
６１０、７１０      ＡＶストリーム
６３０、７３０      解読モジュール
６４０、７４０      ＡＶストリーム出力部
７３１      ＤＥＳ解読モジュール
７３２      二重ＤＥＳ解読モジュール
７３３      三重ＤＥＳ解読モジュール
【図１】
2006512023.tif 000003
【図２】
2006512023.tif 000004
【図３】
2006512023.tif 000005
【図４】
2006512023.tif 000006
【図５Ａ】
2006512023.tif 000007
【図５Ｂ】
2006512023.tif 000008
【図６】
2006512023.tif 000009
【図７】
2006512023.tif 000010
【国際調査報告】
2006512023.tif 000011